【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
コンピュータのコードの表示バージョンのうちの少なくとも一部について第一の閲覧を提供するよう構成され、検索可能なテキストに対する検索の開始により前記コンピュータのコードにおいて検索可能なテキストを強調表示することを提供するようさらに構成された第一のディスプレイ部分と、
前記第一の閲覧の縮小された複製を含む第二の閲覧を提供するよう構成された文書概観用スクロールバーであって、
前記文書概観用スクロールバーに示される第二の閲覧においてページ内に含まれる、対応するテキストの一部を、前記コンピュータのコードの内容を変えることなしに自動的に識別して、前記第一のディスプレイ部分に表示される第一の閲覧内においてテキストの一部の選択を実現し、
前記文書概観用スクロールバーを使用され前記文書概観用スクロールバー内にドラッグされることにより前記コンピュータのコードを変え、前記ページ内の現在の位置から新しい位置に対応するテキストの一部は、前記コンピュータのコードの複数のページの中のページを再び配置することなしに、前記第一のディスプレイ部分に示される第一の閲覧において見えないようにする
ようさらに構成された文書概観用スクロールバーと
を備えた文書のディスプレイの装置。
【請求項２】
前記検索は、前記第一のディスプレイ部分に示される第一の閲覧において検索可能なテキストの個々の生成をダブルクリックすることにより開始され、前記個々の生成を第一の色により強調表示して前記個々の生成は前記検索を開始するために選択されていることを示し、前記文書の第一の閲覧に含まれる検索可能なテキストの複数の生成を、前記第一の色とは異なる第二の色により同時に強調表示して第一の閲覧内に示し、前記複数の生成は前記検索の結果を構成することを特徴とする請求項１に記載の文書のディスプレイの装置。
【請求項３】
前記検索可能なテキストの複数の生成を、前記第二の閲覧において同時に強調表示することを特徴とする請求項２に記載の文書のディスプレイの装置。
【請求項４】
前記複製の閲覧は、前記コンピュータのコードに含まれるテキストの部分を前記第一の閲覧に示されるテキストの量よりもより多く示すことを特徴とする請求項３に記載の文書のディスプレイの装置。
【請求項５】
前記第一の閲覧に見られるテキストは、前記コンピュータのコードの第一のページからのテキストの一部を構成し、前記コンピュータのコードの内容を変えることは、前記テキストの一部を前記第一のページの現在の位置から前記コンピュータのコードの第二のページ内の新しい位置へ移動させることを含むことを特徴とする請求項１に記載の文書のディスプレイの装置。
【請求項６】
前記第二の閲覧に表示されるブレイクポイントが、前記第一の閲覧に表示される同等のブレイクポイントに対応することを特徴とする請求項１に記載の文書のディスプレイの装置。
【請求項７】
処理部、メモリ部、ディスプレイ部を備えているコンピューティングデバイスにおいて文書を表示する方法であって、
前記メモリ部に格納された文書の少なくとも一部について第一の閲覧を前記処理部が前記コンピューティングデバイスのディスプレイ部に表示させるステップと、
前記第一の閲覧の縮小された複製を含む第二の閲覧を前記処理部が前記コンピューティングデバイスの文書概観用スクロールバーに表示させるステップと、
前記処理部が、
第一のページ内に含まれるテキストの全体を強調表示することを除外して、前記文書概観用スクロールバー内の第二の閲覧において前記第一のページ内に含まれるテキストの一部を前記ディスプレイ部に強調表示させるステップと、
前記文書概観用スクロールバー内に、前記強調表示された一部の外に配置される新しい位置におけるクリックを実現して、前記強調表示されたテキストの一部を前記移動の中央として作用する前記新しい位置へ移動させるステップと
を含む、前記文書概観用スクロールバーを使用させ前記メモリ部に格納された文書の移動を実行するステップと
を備えたことを特徴とする方法。
【請求項８】
前記文書の第一の閲覧において検索可能なテキストに対する単語の検索を前記処理部が開始し、検索可能なテキストの複数の生成を前記第一の閲覧と前記第二の閲覧とにおいて前記処理部が前記ディスプレイ部に同時に強調表示させるステップとさらに備えたことを特徴とする請求項７に記載の方法。
【請求項９】
前記単語の検索を前記処理部が開始するステップは、前記文書の第一の閲覧における目標の単語のダブルクリックを実現し、前記目標の単語を第一の識別の色を使用して前記処理部が前記ディスプレイ部に強調表示させ、前記目標の単語以外の前記文書の第一の閲覧において検索可能なテキストの複数の生成を、前記第一の識別の色とは異なる第二の識別の色を使用して前記処理部が前記ディスプレイ部に強調表示させるステップを含むことを特徴とする請求項８に記載の方法。
【請求項１０】
前記文書を前記ディスプレイ部に表示させるために統合開発環境を前記処理部が使用させるステップをさらに備えたことを特徴とする請求項７に記載の方法。
【請求項１１】
前記文書の第一の閲覧において前記処理部が実現するブレイクポイントの挿入が、前記文書概観用スクロールバーに表示される第二の閲覧において、対応するブレイクポイントを前記処理部が前記ディスプレイ部に結果として表示させることを特徴とする請求項１０に記載の方法。
【請求項１２】
コンピューティングデバイスに、
前記コンピューティングデバイスに格納された文書のうちの少なくとも一部について第一の閲覧を前記コンピューティングデバイスに表示させる手順と、
前記第一の閲覧の縮小された複製を含む、前記文書の複数のページについて第二の閲覧を前記コンピューティングデバイスの文書概観用スクロールバーに表示させる手順と、
前記文書概観用スクロールバーに表示される第一のページ内に、対応するテキストの一部を、前記文書の内容を変えることなしに前記第一のページ内に含まれるテキストの全体を選択させることを除外して、自動的に強調表示させることにより、前記第一の閲覧においてテキストの一部の選択を実現させる手順と、
前記文書のページを再び配置することなしに、前記文書概観用スクロールバー内の現在の位置から前記文書概観用スクロールバー内の新しい位置への前記複製における対応するテキストの一部のドラッグ・アンド・ドロップにより、前記文書の内容を変え、前記新しい位置は、前記第一の閲覧において見えないようにする手順と
を含む、前記文書に含まれるテキストの編集を実行可能にすることにより前記複製内のテキストの編集の機能を提供する手順と
を実行させるためのコンピュータ読取り可能な命令を記録したコンピュータ読取り可能な記録媒体。
【請求項１３】
前記縮小された複製の大きさの変更により直に対応して前記第一の閲覧の大きさを変更する手順と、
前記文書の第一の閲覧においてテキストに対する検索を開始することにより単語の検索の機能を提供して前記第一の閲覧と前記第二の閲覧とにおいて検索されたテキストを結果として強調表示させる手順と
をさらに実行させるためのコンピュータ読取り可能な命令を記録した請求項１２に記載のコンピュータ読取り可能な記録媒体。
【請求項１４】
前記検索の開始は、前記検索されたテキストの複数の生成を前記第一の閲覧と前記第二の閲覧とにおいて結果として同時に強調表示させることを特徴とする請求項１３に記載のコンピュータ読取り可能な記録媒体。
【請求項１５】
前記第二の閲覧は、前記第一の閲覧の翻訳されたバージョンであることを特徴とする請求項１２に記載のコンピュータ読取り可能な媒体。
【請求項１６】
前記翻訳されたバージョンは、前記第一の閲覧のＨＴＭＬバージョンであることを特徴とする請求項１５に記載のコンピュータ読取り可能な媒体。
【請求項１７】
前記第二の閲覧は、ａ）オブジェクトコードまたはｂ）ソースコードのうちの一つであり、前記第一の閲覧は、それぞれ、a)対応するソースコードまたはｂ）対応するオブジェクトコードのうちの一つであることを特徴とする請求項１５に記載のコンピュータ読取り可能な媒体。
【請求項１８】
前記第一のページの一部は、前記第一のページに含まれた段落であり、前記新しい位置を、前記第一のページ内に配置することを特徴とする請求項７に記載の方法。
【請求項１９】
前記第一のページの一部は、前記第一のページ内に含まれた段落であり、前記新しい位置を、前記第一のページとは異なる第二のページ内に配置することを特徴とする請求項７に記載の方法。